(57)【要約】      （修正有）【課題】天井や壁への梁の有無および家具類の高さ左右されずに、家具類への取り付けができ、しかも取り付けの際には専門的な道具と作業者を不要とし、一般の主婦の方でも簡単容易に取り付けが実施できる家具類の転倒防止装置。【解決手段】床に固定した床連結具１００に下端部を揺動可能に装着し、家具の裏面に装着するシャフト連結具２００に上端部を離脱可能に連結する家具連結シャフト３００を有してなる。前記家具連結シャフトは上下分割タイプとし、上シャフト３０１と下シャフト３０２は長さ調節用の連結具３０４で連結する。上シャフト３０１の上部には、スプリング３１３を伸長状態で内蔵するシリンダー本体３１１とピストン本体３１２を設け、シリンダー本体３１１の頂部にピンシャフト３１６を突設し、このピンシャフト３１６にロック螺子３１７を螺合してなる被連結具３１０を具備し、ここにシャフト連結具２００の二股アーム２０３を挟持固定する。【選択図】図１
2012232087.tif 000002
【特許請求の範囲】
【請求項１】
家具類の設置床に竪設するものであって、家具類の裏面側の下部両側部が位置する家具類設置床に固定する床連結具１００を有し、家具類の裏面側の上部両側部の各々に装着する着脱連結具２００を有し、床連結具１００に下端部を揺動可能に装着し上端部をシャフト着脱連結具２００に離脱可能に連結する家具連結シャフト３００を有せしめてなることを特徴とする家具類の転倒防止装置。
【請求項２】
前記家具連結シャフト３００は上下分割タイプとし、上シャフト３０１と下シャフト３０２は長さ調節用の連結具３０４で連結したことを特徴とする請求項１に記載の家具類の転倒防止装置。
【請求項３】
前記上シャフト３０１の上部に被連結具３１０を具備し、被連結具３１０は、上下摺動動作可能に装着したシリンダー本体３１１とピストン本体３１２とを有し、シリンダー本体３１１は頂部にピンシャフト３１６とこれに螺合するロック螺子３１７を突設し、且つピストン本体３１２とを連結するスプリング３１３を伸長状態で内蔵し、ピストン本体３１２は下部を筒体３１８にしこれに上シャフト３０１を挿入して螺子３１９で連結固定し、ピストン本体３１２の外周に所定長さのキー溝３１４を設けシリンダー本体３１１には前記キー溝３１４に挿入しシリンダー本体３１１の上下移動を制限するロックピン３１５を設け、前記シャフト着脱連結具２００は、家具類の裏面に装着する本体２０１と、これに接続し前記被連結具３１０のピンシャフト３１６を左右から挿出入する開放部２０２を形成した二股アーム２０３とを有し、開放部２０２に挿入したピンシャフト３１６のロック螺子３１７を締めてシリンダー本体３１１の頂部とロック螺子３１７間に二股アーム２０３を挟持固定することを特徴とする請求項２に記載の家具類の転倒防止装置。
【請求項４】
前記床連結具１００は、下シャフト３０２の下部を揺動可能に連結支持する軸着部１０３と同軸着部１０３をフローリング式床に螺合連結する基部１０１とからなり、又は軸着部１０３を吸盤支持体１１１を介してフローリング式床Ｆに吸着連結する吸盤１１０とからなり、又は軸着部１０３を畳式床Ｔを挟持連結する断面コ字型の基部１１２とからなることを特徴とする請求項２に記載の家具類の転倒防止装置。
【発明の詳細な説明】
【技術分野】
【０００１】  本発明は、タンス、本箱、戸棚等の家具類の転倒防止装置に関するものである。
【背景技術】
【０００２】  特に地震国日本ではタンス、本箱、戸棚等の家具は、地震の程度つまり弱振、強震を問わずその転倒防止対策は必須のアイテムとして常備しなければならない。【０００３】  従来における家具類の転倒防止技術としては、いろいろの装置が開発されてきた。
従来の家具類の転倒防止技術は、基本的には家具の頂部と天井の間に設置する突っ張り機構が主体であった。
しかし、家具の頂部と天井の間に設置する突っ張り機構は、高所であるがために設置、施工には専門的な道具と作業者が必要であった。しかし天井の梁の位置とのマッチングがかなわない場合は強制的に家具類の配置を変更しなければならない。また梁が存在しない場合もありその際は当該機構の採用は不可能となり最悪であるが、家具類の高さを低いものに限定して倒壊損害程度の軽減を図る必要がある。
【発明の概要】
【発明が解決しようとする課題】
【０００４】  本発明は、天井や壁への梁の有無および家具類の高さ左右されずに、家具類への取り付けができ、しかも取り付けの際には専門的な道具と作業者を不要とし、一般の主婦の方でも簡単容易に取り付けが実施できる安価で堅牢なしかも家具類のインテリアとしての機能を損なわずに常設できる優れた家具類の転倒防止装置を提供するものである。
【課題を解決するための手段】
【０００５】  本発明は上記の課題を満足するものでありその特徴とするところは次の（１）〜（２）の通りである。
（１）、家具類の設置床に竪設するものであって、家具類の裏面側の下部両側部が位置する家具類設置床に固定する床連結具１００を有し、家具類の裏面側の上部両側部の各々に装着する着脱連結具２００を有し、床連結具１００に下端部を揺動可能に装着し上端部をシャフト着脱連結具２００に離脱可能に連結する家具連結シャフト３００を有せしめてなることを特徴とする家具類の転倒防止装置。
（２）、前記家具連結シャフト３００は上下分割タイプとし、上シャフト３０１と下シャフト３０２は長さ調節用の連結具３０４で連結したことを特徴とする前記（１）に記載の家具類の転倒防止装置。
（３）、前記上シャフト３０１の上部に被連結具３１０を具備し、被連結具３１０は、上下摺動動作可能に装着したシリンダー本体３１１とピストン本体３１２とを有し、シリンダー本体３１１は頂部にピンシャフト３１６とこれに螺合するロック螺子３１７を突設し、内部と挿入したピストン本体３１２とを連結するスプリング３１３を伸長状態で内蔵し、ピストン本体３１２は下部を筒体３１８にしこれに上シャフト３０１を挿入して螺子３１９で連結固定し、ピストン本体３１２の外周に所定長さのキー溝３１４を設けシリンダー本体３１１には前記キー溝３１４に挿入しシリンダー本体３１１の上下移動を制限するロックピン３１５を設け、前記シャフト着脱連結具２００は、家具類の裏面に装着する本体２０１と、これに接続し前記被連結具３１０のピンシャフト３１６を左右から挿出入する開放部２０２を形成した二股アーム２０３とを有し、開放部２０２に挿入したピンシャフト３１６のロック螺子３１７を締めてシリンダー本体３１１の頂部とロック螺子３１７間に二股アーム２０３を挟持固定することを特徴とする前記（２）に記載の家具類の転倒防止装置。
（４）、前記床連結具１００は、下シャフト３０２の下部を揺動可能に連結支持する軸着部１０３と同軸着部１０３をフローリング式床に螺合連結する基部１０１とからなり、又は軸着部１０３を吸盤支持体１１１を介してフローリング式床に吸着連結する吸盤１１０とからなり、又は軸着部１０３を畳式床を挟持連結する断面コ字型の基部１１２とからなることを特徴とする、前記（２）に記載の家具類の転倒防止装置
【発明の効果】
【０００６】  本発明の本発明の家具類の転倒防止装置は、天井や壁への梁の有無および家具類の高さに左右されずに、さらにフローリングや畳等床の仕様に影響されずに、家具類への取り付けが簡単にでき、しかも取り付けの際には専門的な道具と作業者を不要とし、一般の主婦の方でも簡単容易に取り付けが実施できる安価で堅牢なしかも家具類のインテリアとしての機能を損なわずに常設できる優れた装置である。
【図面の簡単な説明】
【０００７】
【図１】本発明の実施例１（：フローリングへの直下付式）の家具類の転倒防止装置の正面図
【図２】図１の矢視Ａ−Ａからの平面図である。
【図３】図１の矢視Ｂ−Ｂからの側面図である。
【図４】図３の矢視Ｃ−Ｃからの平面図である。
【図５】図３に示す一部の変形例を示す側面図である。（：フローリングへの吸着盤接続）
【図６】図３に示す一部の他の変形例を示す側面図である。（：畳への直下付式）
【図７】図１に示す被連結具３１０を単独に拡大して示す説明図である。
【発明を実施するための最良の形態】
【０００８】  本発明を実施するための最良の形態は、上記の特徴に記載の技術条件を備えたものであり、その具体的な実施形態を次の実施例において詳細に紹介する。
【実施例】
【０００９】  図１〜図４において、本例の家具類の転倒防止装置は、家具類を設置する畳やフローリングなどの所謂家具類設置床に竪設する。
この転倒防止装置は、家具類の裏面側の下部両側部が位置する家具類設置床に連結固定する床連結具１００と、家具類の裏面側の上部の左右両側部と中央部の左右両側の各々に連結固定装着するシャフト着脱連結具２００と、床連結具１００に下端部を揺動可能に装着し上端部を着脱連結具２００に離脱可能に連結する家具連結シャフト３００とを主構成とする。【００１０】  前記家具連結シャフト３００は、上下分割タイプとし、上シャフト３０１と下シャフト３０２は一対のシャフト挿入穴３０４ａと固定螺子３０４ｂとからなる長さ調節用の連結具３０４で連結してある。
前記上シャフト３０１の上部には、図７にも拡大して示すが被連結具３１０を取り付ける。被連結具３１０は、上下摺動動作可能に装着したシリンダー本体３１１とピストン本体３１２とを有し、シリンダー本体３１１は頂部にピンシャフト３１６とこれに螺合するロック螺子３１７を突設し、内部と挿入したピストンとを連結するスプリング３１３を伸長状態で内蔵する。ピストン本体３１２は、下部を筒体３１８にしこれに上シャフト３０１を挿入して螺子３１９で連結固定し、ピストン本体３１２の外周に所定長さのキー溝３１４を設けシリンダー本体３１１には前記キー溝３１４に挿入しシリンダー本体３１１の上下移動を制限するロックピン３１５を設ける。【００１１】  家具類の裏面側の上部の左右両側部のシャフト着脱連結具２００は、家具類の裏面に装着する基部２０１に、前記被連結具３１０のピンシャフト３１３を左右から挿出入する開放部２０２を形成した二股アーム２０３を有し、該開放部２０４にピンシャフト３１３を左右から挿入し、その後にロック螺子３１４を締めてシリンダー本体３１１の頂部とロック螺子３１４間に二股アーム２０３を挟持固定する。
家具類の裏面側の中央部の左右両側にもシャフト着脱連結具２００を設ける。このシャフト着脱連結具２００は前記した家具類の裏面側の上部の左右両側部のシャフト着脱連結具２００と同様の構成であるが、上シャフト３０１の下部の前後動作のみを固定するもので、家具類の裏面に装着する基部２０１に上シャフト３０１の下部を左右から挿入する該開放部２０２を形成した二股アーム２０３を有する。【００１２】  床連結具１００は、図１〜図４に示すように床がフローリングＦの場合の直下付式である。この床連結具１００は、フラットにした基部１０１をフローリングＦの表部に直接に螺子１０２で螺合接続固定し、上部に家具連結シャフト３００の下部を所定角度左右に揺動可能に軸着する軸着部１０３を形成してなる。【００１３】  又図５には床連結具１００の変形例を示し、床がフローリングＦの場合であり、フローリングの表面に吸着盤で吸着接続する床連結具１００である。この吸着盤式の床連結具１００は吸盤１１０と、吸盤１１０を下シャフト３０２に連結支持する吸盤支持体１１１とからなる。【００１４】  又図６には床連結具１００の他の変形例を示し、床が畳Ｔの場合であり、畳Ｔの側端部の上下面と側面に当接して挟み固定する断面コ字型の基部１１２にし、上部に下シャフト３０２の下部を所定角度左右に揺動可能に軸着する軸着部１０３を形成してなる。
床が畳Ｔの場合は、長期の使用により畳Ｔが家具類の重量で減厚して家具類が下っても、被連結具３１０のロックピン３１５のキー溝３１４内当初位置を上限位置にし下降動作をフリーにしておくことにより伸長状態のスプリング３１１による復元力により減厚分が吸収されて家具連結シャフト３００の全長が自動的に追従低下変更され、家具類の後ろを吊り上げることなく前下がりを防止する。
床がフローリングＦの場合は、畳Ｔのようなケースが殆んど無いため、被連結具３１０のロックピン３１５でシリンダー間の上下摺動動作を阻止固定する。【００１５】  次にフローリングＦの壁側に家具を配置する場合に、家具類に転倒防止装置を取り付ける方法例を次に紹介する。
１．手順１
予め壁側に転倒防止装置をセットするが、家具連結シャフト３００は、下部の床連結具１００をフローリングＦの壁側の直近に所定の上向きの揺動角度内で揺動自在に取り付けると共に、シリンダー本体３１１のスプリング３１３の収縮力でロックピン３１５をキー溝３１４の下限位置に位置させておいた状態で、家具連結シャフト３００の長さを長さ調節用の連結具３０４で家具高さからキー溝３１４を差し引いた値にしてその壁の中央部に寄せておく。更にピンシャフト３１６のロック螺子３１７はその間に二股アーム２０５がルーズに位置する関係に予めセットしておく。
２．手順２
次に、家具を壁側に配置して後に、家具連結シャフト３００を壁の中央部から左右に回動させ、次いでロックピン３１５位置がキー溝３１４の上限位置になるまでシリンダー本体３１１をロック螺子３１７と共に引き上げて、次いでピンシャフト３１６を二股アーム２０５の開放部２０４にその横から挿入すると共に、上シャフト３０１の下部を家具類の両側中間部に装着したシャフト着脱連結具２００の二股アーム２０５の開放部２０４に挿入する。
３．手順３
次に、被連結具３１０のピンシャフト３１６に螺合してあるロック螺子３１７を締めてシリンダー本体３１１の頂部とロック螺子３１７間に二股アーム２０５を挟持固定する。
以って家具類の転倒防止装置は全て当該家具類の後部に位置してスマートに隠れ家具のインテリア機能を損なわせることが皆無である。
４．そして家具は、普段の平常時は、前項３により転倒防止装置の二本の家具連結シャフト３００により後部を常に所定高さで押さえられて安定支持される。
５．前項３の状態で外部からの振動や振動で家具が揺れる異常時の場合は、家具連結シャフト３００の牽引力により揺れを強制的に抑制して共振を防止して短時間に家具姿勢を正常状態に復元させて、特に前傾転倒を確実に未然に防止するものである。
床が畳の場合は、家具類の重量により畳が沈むため家具連結シャフト３００の長さを固定すると家具類は不安定な前傾姿勢となるが、これを防止するのが前記スプリング３１３の復元力により家具類の沈み量を吸収して常に正常に家具類を追従保持する。
６．また本例の転倒防止装置は、家具の高さに応じて、家具連結シャフト３００の全体の高さ（長さ）を長さ調節用の連結具３０４により容易に調節にすることが簡単にできるため、当該家具類を迅速に安定固定支持することができる等、多種多様な形状仕様の家具類に簡便に安全に対処することができる。
【産業上の利用可能性】
【００１６】  本発明は前述の優れた安全効果を有するため、家具類の生産産業界の生産者は勿論、使用するユーザーにも多大な貢献をもたらすものである。
【符号の説明】
【００１７】Ｆ  フローリング                                ２０３  二股アーム
Ｔ  畳                                          ３００  家具連結シャフト
１００  床連結具                                ３０１  上シャフト
１０１  床連結具１００の基部                    ３０２  下シャフト
１０２  螺子                                    ３０４  長さ調節用の連結具
１０３  軸着部                                  ３１０  被連結具
１１０  吸盤                                    ３１１  シリンダー本体
１１１  吸盤支持体                              ３１２  ピストン本体
１１２  断面コ字型の基部                        ３１３  スプリング
２００  シャフト着脱連結具                      ３１４  キー溝
２０１  基部                                    ３１６  ピンシャフト
２０２  開放部                                  ３１７  ロック螺子
３１５  シリンダー本体の上下動制限用のロックピン
【図１】
2012232087.tif 000003
【図２】
2012232087.tif 000004
【図３】
2012232087.tif 000005
【図４】
2012232087.tif 000006
【図５】
2012232087.tif 000007
【図６】
2012232087.tif 000008
【図７】
2012232087.tif 000009